(57)【要約】【課題】表示パネルによる伝送損失と相互干渉を軽減し人体通信を実現すること。【解決手段】ガラス板の裏面に設けられ、当該ガラス板を通して画像を表示する表示パネルと、前記ガラス板の裏面に設けられた表示パネルの周囲に、当該表示パネルとの間が所定の間隔だけ離隔するように配置された信号電極と、前記信号電極に電圧を印加し、前記信号電極が設けられた領域に対応する前記ガラス板の表面領域に接触又は近接された人体の一部を介して信号を送受信する人体通信部と、を備える、表示装置が提供される。【選択図】図４
2011259171.tif 000002
【特許請求の範囲】
【請求項１】
ガラス板の裏面に設けられ、当該ガラス板を通して画像を表示する表示パネルと、
前記ガラス板の裏面に設けられた表示パネルの周囲に、当該表示パネルとの間が所定の間隔だけ離隔するように配置された信号電極と、
前記信号電極に電圧を印加し、前記信号電極が設けられた領域に対応する前記ガラス板の表面領域に接触又は近接された人体の一部を介して信号を送受信する人体通信部と、
を備える、
情報処理装置。
【請求項２】
前記信号電極は、前記ガラス板に導電フィルムを貼り付けたものである、
請求項１に記載の情報処理装置。
【請求項３】
前記信号電極は、前記ガラス板に導電膜を成膜したものである、
請求項１に記載の情報処理装置。
【請求項４】
前記信号電極に印加された電圧に応じて生じる静電結合を利用して信号を送受信することが可能な信号送受信部を有する通信装置が、前記信号電極が設けられた領域に対応する前記ガラス板の表面領域に接触又は近接された場合、前記人体通信部は、人体を介さずに前記通信装置との間で信号を送受信する、
請求項１に記載の情報処理装置。
【請求項５】
前記ガラス板と前記表示パネルとの間に設けられたタッチセンサ用透明導電膜と、
前記タッチセンサ用透明導電膜に印加された交流電圧により生じる電場の偏りに応じてタッチ位置を検知するタッチセンサと、
をさらに備え、
前記信号電極は、前記タッチセンサとの間が所定間隔だけ離隔するように配置される、
請求項１又は２に記載の情報処理装置。
【請求項６】
送信データを生成する演算処理部をさらに備え、
前記人体通信部は、前記信号電極が設けられた領域に対応する前記ガラス板の表面領域に人体の一部が接触又は近接された場合に、前記演算処理部により生成された送信データの信号を送信する、
請求項１に記載の情報処理装置。
【請求項７】
ガラス板の裏面に設けられ、当該ガラス板を通して画像を表示する表示パネルと、前記ガラス板の裏面に設けられた表示パネルの周囲に、当該表示パネルとの間が所定の間隔だけ離隔するように配置された人体通信のための信号電極と、
を備える、
情報処理装置。
【請求項８】
ガラス板の裏面に設けられ、当該ガラス板を通して画像を表示する表示パネルと、前記ガラス板の裏面に設けられた表示パネルの周囲に、当該表示パネルとの間が所定の間隔だけ離隔するように配置された信号電極と、前記信号電極に電圧を印加し、前記信号電極が設けられた領域に対応する前記ガラス板の表面領域に接触又は近接された人体の一部を介して信号を送受信する人体通信部と、前記ガラス板と前記表示パネルとの間に設けられたタッチセンサ用透明導電膜と、前記タッチセンサ用透明導電膜に印加された交流電圧により生じる電場の偏りに応じてタッチ位置を検知するタッチセンサと、を有する表示装置が、
前記タッチセンサによりタッチ位置が検知され、かつ、前記信号電極が設けられた領域に対応する前記ガラス板の表面領域に人体の一部が接触又は近接されている場合に、当該タッチ位置に応じた情報を前記人体通信部により前記信号電極を介して提供する情報提供ステップを含む、
情報提供方法。
【請求項９】
ガラス板の裏面に設けられ、当該ガラス板を通して画像を表示する表示パネルと、前記ガラス板の裏面に設けられた表示パネルの周囲に、当該表示パネルとの間が所定の間隔だけ離隔するように配置された信号電極と、前記信号電極に電圧を印加し、前記信号電極が設けられた領域に対応する前記ガラス板の表面領域に接触又は近接された人体の一部を介して信号を送受信する人体通信部と、前記ガラス板と前記表示パネルとの間に設けられたタッチセンサ用透明導電膜と、前記タッチセンサ用透明導電膜に印加された交流電圧により生じる電場の偏りに応じてタッチ位置を検知するタッチセンサと、を有する表示装置が、
前記信号電極が設けられた領域に対応する前記ガラス板の表面領域に人体の一部が接触又は近接された場合に、前記人体通信部により前記信号電極を介して信号を受信する信号受信ステップと、
前記信号受信ステップで信号が受信された場合に、前記表示パネルに情報を表示し、前記タッチセンサによるタッチ位置の検知動作を開始するタッチセンサ起動ステップと、
を含む、
起動方法。
【発明の詳細な説明】
【技術分野】
【０００１】
本発明は、表示装置、通信装置、情報提供方法、及び起動方法に関する。
【背景技術】
【０００２】
近年、多くの電子機器には、操作用のユーザインターフェースとしてタッチパネルが搭載されるようになってきている。タッチパネルは、例えば、液晶ディスプレイにタッチセンサを付加した構造を持つ。このタッチパネルを用いると、指などで液晶ディスプレイの表示面を直接触って操作することができるようになるため、ハードキーを用いたインターフェースに比べ、より直感的な操作が可能になる。
【０００３】
こうしたタッチパネルは、例えば、パーソナルコンピュータ（以下、ＰＣ）、携帯電話、携帯音楽プレーヤ、携帯情報端末など、多種多様な電子機器のユーザインターフェースとして採用されている。また、最近では、テーブルトップコンピュータ、デジタルサイネージ端末、ショーウィンドウ端末などにおいても、ユーザインターフェースとしてタッチパネルが採用されるようになってきている。
【０００４】
但し、タッチパネルは、ユーザが電子機器に対して情報を入力するためのユーザインターフェースに過ぎない。そのため、ユーザがタッチパネルに触れても、そのタッチパネルを搭載した電子機器と、ユーザが身に付けている携帯機器との間で情報交換が行われることはない。従って、タッチパネルを搭載した電子機器とユーザが身に付けている携帯機器との間で情報交換を行うには、当該電子機器と携帯機器との間で情報交換を行うための通信手段が必要になる。
【０００５】
最近、このような通信手段として人体通信に注目が集まっている。人体通信は、人体を伝達媒体として情報をやり取りする通信方式である。そのため、人体通信を用いると、ユーザがタッチパネルにタッチした際に、タッチした部分を介して、タッチパネルを搭載した電子機器と、ユーザが身に付けている携帯機器との間で情報をやり取りするといったことが実現可能になる。人体通信に関し、下記の特許文献１には、タッチセンサ用の透明電極を人体通信の信号電極として利用する表示装置の構成が開示されている。
【先行技術文献】
【特許文献】
【０００６】
【特許文献１】特開２００６−３１８０６７号公報
【発明の概要】
【発明が解決しようとする課題】
【０００７】
上記文献に記載の表示装置は、液晶ディスプレイの上面にタッチセンサとして機能する透明導電膜を形成したものである。タッチパネルの方式には複数の種類が存在するが、指先と透明導電膜との間に生じる静電容量の変化（静電結合）を捉えてタッチ位置を検知する静電容量方式が多く用いられている。静電結合は、指先が透明導電膜に近づくだけで発生する。そのため、指先が透明導電膜に接触する前にタッチ位置を検知してカーソルを表示するようなアプリケーションの実現も可能である。
【０００８】
静電容量方式には表面型と投影型という２つの種類が存在する。表面型のタッチパネルは、カバー、透明導電膜、ガラス基板の３層から成る。透明導電膜はガラス基板の上面に貼り付けられる。また、ガラス基板の四隅には電極が設けられている。これらガラス基板の四隅に設けられた電極から駆動回路により交流電圧が印加されると、透明導電膜によって均一な電界が形成される。この透明導電膜に指先が接触すると、駆動回路により発生した微弱電流が透明導電膜、カバー、指先を経由して人体に伝わり、人体が接する大地を含む周辺環境と駆動回路との間で閉回路が形成される。そのため、駆動回路によりガラス基板の四隅に流れる電流量の比率を計測することにより、指先の位置を判別することが可能になる。
【０００９】
このように、表面型のタッチパネルは、仕組みが単純であるため、廉価に製造可能であると共に比較的大型化しやすい。一方、投影型のタッチパネルは、ガラス基板やプラスチック基板などの上に、ＩＴＯなどの透明電極による多数の電極パターンを設けた構造を有する。指先が電極パターンに近接すると、指先と電極パターンとの間で静電結合が生じるため、電極パターンを流れる電流量の比率を測定することにより、指先が近接した位置を精密に判別することができる。なお、投影型の場合、１０ｍｍ〜２０ｍｍ厚のガラス越しで使用することも可能である。また、投影型のタッチパネルは多点検出が可能である。
【００１０】
ところで、液晶ディスプレイ及び静電容量式のタッチパネルには、ＥＭＣ（Ｅｌｅｃｔｒｏｍａｇｎｅｔｉｃ  Ｃｏｍｐａｔｉｂｉｌｉｔｙ）やＥＭＩ（Ｅｌｅｃｔｒｏｍａｇｎｅｔｉｃ  Ｉｎｔｅｒｆｅｒｅｎｃｅ）を防止するためにシールドが設けられている。また、このシールドは、グランドに接続されている。また、液晶ディスプレイの内部にもグランドが存在する。
【００１１】
そのため、静電容量式のタッチパネルに用いる透明導電膜を人体通信の信号電極に用いると、近接するグランド間に強い容量結合が発生し、送信電力及び受信電力が大幅に失われてしまう。なお、送信電力を増大させれば通信自体は可能になるが、消費電力が大きく増加してしまう。また、静電容量式のタッチパネルに印加される信号と、人体通信に利用する信号との相互干渉が生じてしまう。
【００１２】
そこで、本発明は、上記問題に鑑みてなされたものであり、本発明の目的とするところは、伝送損失と相互干渉を軽減し、人体通信を実現することが可能な、新規かつ改良された表示装置、通信装置、情報提供方法、及び起動方法を提供することにある。さらに、本発明は、人体通信のために指先などで触れている部分の表示が見難くなることを防止することをも目的とする。
【課題を解決するための手段】
【００１３】
上記課題を解決するために、本発明のある観点によれば、ガラス板の裏面に設けられ、当該ガラス板を通して画像を表示する表示パネルと、前記ガラス板の裏面に設けられた表示パネルの周囲に、当該表示パネルとの間が所定の間隔だけ離隔するように配置された信号電極と、前記信号電極に電圧を印加し、前記信号電極が設けられた領域に対応する前記ガラス板の表面領域に接触又は近接された人体の一部を介して信号を送受信する人体通信部と、を備える、情報処理装置が提供される。
【００１４】
また、前記信号電極は、前記ガラス板に導電フィルムを貼り付けたものであってもよい。
【００１５】
また、前記信号電極は、前記ガラス板に導電膜を成膜したものであってもよい。
【００１６】
また、前記信号電極に印加された電圧に応じて生じる静電結合を利用して信号を送受信することが可能な信号送受信部を有する通信装置が、前記信号電極が設けられた領域に対応する前記ガラス板の表面領域に接触又は近接された場合、前記人体通信部は、人体を介さずに前記通信装置との間で信号を送受信するように構成されていてもよい。
【００１７】
また、上記の情報処理装置は、前記ガラス板と前記表示パネルとの間に設けられたタッチセンサ用透明導電膜と、前記タッチセンサ用透明導電膜に印加された交流電圧により生じる電場の偏りに応じてタッチ位置を検知するタッチセンサと、をさらに備えていてもよい。この場合、前記信号電極は、前記タッチセンサとの間が所定間隔だけ離隔するように配置される。
【００１８】
また、上記の情報処理装置は、送信データを生成する演算処理部をさらに備えていてもよい。この場合、前記人体通信部は、前記信号電極が設けられた領域に対応する前記ガラス板の表面領域に人体の一部が接触又は近接された場合に、前記演算処理部により生成された送信データの信号を送信する。
【００１９】
また、上記課題を解決するために、本発明の別の観点によれば、ガラス板の裏面に設けられ、当該ガラス板を通して画像を表示する表示パネルと、前記ガラス板の裏面に設けられた表示パネルの周囲に、当該表示パネルとの間が所定の間隔だけ離隔するように配置された信号電極と、前記信号電極に電圧を印加し、前記信号電極が設けられた領域に対応する前記ガラス板の表面領域に接触又は近接された人体の一部を介して信号を送受信する人体通信部と、を有する表示装置から、前記人体の一部を介して信号を送受信する信号送受信部を備える、情報処理装置が提供される。
【００２０】
また、上記課題を解決するために、本発明の別の観点によれば、ガラス板の裏面に設けられ、当該ガラス板を通して画像を表示する表示パネルと、前記ガラス板の裏面に設けられた表示パネルの周囲に、当該表示パネルとの間が所定の間隔だけ離隔するように配置された信号電極と、前記信号電極に電圧を印加し、前記信号電極が設けられた領域に対応する前記ガラス板の表面領域に接触又は近接された人体の一部を介して信号を送受信する人体通信部と、前記ガラス板と前記表示パネルとの間に設けられたタッチセンサ用透明導電膜と、前記タッチセンサ用透明導電膜に印加された交流電圧により生じる電場の偏りに応じてタッチ位置を検知するタッチセンサと、を有する表示装置が、前記タッチセンサによりタッチ位置が検知され、かつ、前記信号電極が設けられた領域に対応する前記ガラス板の表面領域に人体の一部が接触又は近接されている場合に、当該タッチ位置に応じた情報を前記人体通信部により前記信号電極を介して提供する情報提供ステップを含む、情報提供方法が提供される。
【００２１】
また、上記課題を解決するために、本発明の別の観点によれば、ガラス板の裏面に設けられ、当該ガラス板を通して画像を表示する表示パネルと、前記ガラス板の裏面に設けられた表示パネルの周囲に、当該表示パネルとの間が所定の間隔だけ離隔するように配置された信号電極と、前記信号電極に電圧を印加し、前記信号電極が設けられた領域に対応する前記ガラス板の表面領域に接触又は近接された人体の一部を介して信号を送受信する人体通信部と、前記ガラス板と前記表示パネルとの間に設けられたタッチセンサ用透明導電膜と、前記タッチセンサ用透明導電膜に印加された交流電圧により生じる電場の偏りに応じてタッチ位置を検知するタッチセンサと、を有する表示装置が、前記信号電極が設けられた領域に対応する前記ガラス板の表面領域に人体の一部が接触又は近接された場合に、前記人体通信部により前記信号電極を介して信号を受信する信号受信ステップと、前記信号受信ステップで信号が受信された場合に、前記表示パネルに情報を表示し、前記タッチセンサによるタッチ位置の検知動作を開始するタッチセンサ起動ステップと、を含む、起動方法が提供される。
【発明の効果】
【００２２】
以上説明したように本発明によれば、伝送損失と相互干渉を軽減し、人体通信を実現することが可能になる。また、人体通信のために指先などで触れている部分の表示が見難くなることを防止することが可能になる。
【図面の簡単な説明】
【００２３】
【図１】人体通信の原理について説明するための説明図である。
【図２】人体通信の一利用形態について説明するための説明図である。
【図３】タッチセンサ機能を搭載した表示装置の構造について説明するための説明図である。
【図４】本発明の一実施形態に係る人体通信機能及びタッチセンサ機能を搭載した表示装置の構造について説明するための説明図である。
【図５】同実施形態に係る携帯端末の機能構成について説明するための説明図である。
【図６】同実施形態に係る表示装置の機能構成について説明するための説明図である。
【図７】同実施形態の一変形例に係る共用センサパネルの構造について説明するための説明図である。
【図８】同実施形態の一変形例に係る表示装置の機能構成について説明するための説明図である。
【図９】同実施形態に係る技術をデジタルサイネージ端末に適用した場合に想定されるユースケースについて説明するための説明図である。
【図１０】同実施形態に係る技術をデジタルサイネージ端末に適用した場合に想定されるユースケースについて説明するための説明図である。
【図１１】同実施形態に係る携帯端末及び表示装置が有するアプリケーション部の機能を実現することが可能なハードウェア構成について説明するための説明図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
［説明の流れについて］
ここで、以下に記載する本発明の実施形態に関する説明の流れについて簡単に述べる。まず、図１を参照しながら、人体通信の原理について説明する。次いで、図２を参照しながら、人体通信の一利用形態について説明する。次いで、図３を参照しながら、タッチセンサ機能を搭載した表示装置２００の構造について説明する。
【００２６】
次いで、図４を参照しながら、本発明の一実施形態に係る人体通信機能及びタッチセンサ機能を搭載した表示装置２００の構造について説明する。次いで、図５を参照しながら、同実施形態に係る携帯端末１００の機能構成について説明する。次いで、図６を参照しながら、同実施形態に係る表示装置２００の機能構成について説明する。
【００２７】
次いで、図７を参照しながら、同実施形態の一変形例に係る共用センサパネル３００の構造について説明する。次いで、図８を参照しながら、同実施形態の一変形例に係る表示装置２００の機能構成について説明する。次いで、図９、図１０を参照しながら、同実施形態に係る技術をデジタルサイネージ端末に適用した場合に想定されるユースケースについて説明する。
【００２８】
次いで、図１１を参照しながら、同実施形態に係る携帯端末１００及び表示装置２００が有するアプリケーション部１０２、２３２の機能を実現することが可能なハードウェア構成について説明する。最後に、同実施形態の技術的思想について纏め、当該技術的思想から得られる作用効果について簡単に説明する。
【００２９】
（説明項目）
１：はじめに
１−１：人体通信の原理
１−２：人体通信の利用形態
１−３：タッチセンサ機能を搭載した表示装置２００の構造
２：実施形態
２−１：人体通信機能及びタッチセンサ機能を搭載した表示装置２００の構造
２−２：携帯端末１００の機能構成
２−３：表示装置２００の機能構成
３：変形例
３−１：共用センサパネル３００の構造
３−２：画面分割が可能な表示装置２００の機能構成
４：応用例
４−１：デジタルサイネージ端末への応用（ケース１）
４−２：デジタルサイネージ端末への応用（ケース２）
５：ハードウェア構成
６：まとめ
【００３０】
＜１：はじめに＞
本発明の実施形態について詳細に説明するに先立ち、人体通信の原理、人体通信の利用形態、タッチセンサ機能を搭載した表示装置２００の構造について簡単に説明する。
【００３１】
［１−１：人体通信の原理］
まず、図１を参照しながら、人体通信の原理について簡単に説明する。図１は、人体通信の原理について簡単に説明するための説明図である。
【００３２】
図１の例において、人体１０は、送信機（携帯端末１００）を身に付けている。また、図１の例では、人体１０が受信機（表示装置２００）に触れている。また、送信機及び受信機は、それぞれ信号電極とグランド電極とを有する。そして、送信機及び受信機の信号電極は人体１０に接触している。なお、信号電極は、人体１０に直接接触している必要はない。例えば、信号電極と人体１０との間に服などが介在していてもよい。
【００３３】
送信機の信号電極に交流電圧を印加すると、人体１０は誘電体であるため、人体１０の周辺に電界（近傍界１５）が発生する。例えば、３０ＭＨｚの周波数帯を利用する場合、人体１０の比誘電率は約９０程度であるため、人体１０の表面には強い近傍界１５が生じる。この近傍界１５を介して、送信機の信号電極から発せられた信号が、受信機の信号電極に到達する。なお、人体通信には、空間伝搬とならず、かつ、人体防護指針の厳しくない周波数帯（例えば、３０ＭＨｚ以下）が好適に利用される。
【００３４】
さて、ここで重要なのは信号の帰線となるグランド側の振る舞いである。送信機のグランド電極は、大地１４に対して容量１１を有する。但し、図１の例では、容量１１を模式的に１つのコンデンサにより表現しているが、実際にはグランド電極と大地１４との間で多数の容量結合が生じている。
【００３５】
同様に、受信機のグランド電極は、大地１４に対して容量１２を有する。また、送信機のグランド電極と受信機のグランド電極との間にも容量１３が存在する。そして、容量１１、１２、１３の総和が、送信機から受信機へと伝達される信号の帰線となる。なお、３０ＭＨｚの周波数帯を利用する場合、容量１１、１２、１３は十分に小さな値であるため、外部環境による伝搬特性への影響はほとんどない。
【００３６】
以上、人体通信の原理について簡単に説明した。
【００３７】
［１−２：人体通信の利用形態］
次に、図２を参照しながら、人体通信の一利用形態について説明する。図２は、人体通信の一利用形態について説明するための説明図である。
【００３８】
人体通信の利用形態として、例えば、図２に示すような人体通信機能及びタッチセンサ機能を搭載した表示機能付きテーブル（表示装置２００）が考えられる。なお、人体１０は、人体通信機能を搭載した携帯端末１００を身に付けているものとする。また、携帯端末１００には、写真Ｐのデータが格納されているものとする。先に説明した原理により、人体１０が表示装置２００に触れると、携帯端末１００及び表示装置２００により近傍界１５が生成される。このとき、表示装置２００を設置している床が大地１４になる。
【００３９】
近傍界１５によって携帯端末１００と表示装置２００との間で人体通信が可能になると、ユーザは、例えば、人体通信によって携帯端末１００に格納されている写真Ｐのデータを表示装置２００に送信し、写真Ｐを表示装置２００に表示させることが可能になる。なお、ここでは表示装置２００に写真Ｐを表示させる利用例を示したが、携帯端末１００に搭載されたアプリケーションの操作画面を表示装置２００に表示させたり、携帯端末１００に格納された他のコンテンツを表示装置２００に表示させるような利用形態も考えられる。
【００４０】
また、人体通信が開始された際に、携帯端末１００に格納されたコンテンツ（例えば、写真Ｐなど）に対する操作（例えば、表示、再生、送信など）を行うための画面が自動的に表示装置２００に表示されるようにしてもよい。このような構成にすれば、ユーザは、身に付けた携帯端末１００に一切触れず、表示装置２００に表示された操作画面を操作するだけで携帯端末１００に格納されたコンテンツに対する操作を行うことが可能になる。例えば、携帯端末１００を服のポケットに入れたまま、携帯端末１００に格納された写真Ｐを表示装置２００に表示させることが可能になる。
【００４１】
以上、人体通信の一利用形態について簡単に説明した。
【００４２】
［１−３：タッチセンサ機能を搭載した表示装置２００の構造］
次に、図３を参照しながら、タッチセンサ機能を搭載した表示装置２００の構造について説明する。図３は、タッチセンサ機能を搭載した表示装置２００の構造について説明するための説明図である。なお、図３（Ａ）は、表示装置２００の上面図である。また、図３（Ｂ）は、図３（Ａ）の表示装置２００をＩ−Ｉ線で切断して得られる断面図である。
【００４３】
図３に示すように、表示装置２００は、主に、ガラス部２０１と、静電容量式タッチパネル２１１と、液晶ディスプレイ部２１２と、シールド２１３とにより構成される。また、静電容量式タッチパネル２１１には、信号源１７が接続される。なお、信号源１７は、グランド１８に接続される。また、シールド２１３は、グランド１９に接続される。
【００４４】
ガラス部２０１は、表示装置２００の表面を強化するために設けられる。但し、ガラス部２０１の厚さは、ガラス部２０１の上面を手１６で触れた場合に静電容量式タッチパネル２１１によりタッチ位置が検知できる程度の厚さである。つまり、表示装置２００には、静電容量式タッチパネル２１１の感度に応じた厚さのガラス部２０１が設けられる。
【００４５】
静電容量式タッチパネル２１１は、ユーザがガラス部２０１にタッチした際に、そのタッチ位置を検知することが可能なタッチセンサとして用いられる。静電容量式タッチパネル２１１は、主に、カバー、透明導電膜、ガラス基板の３層で構成される。この透明導電膜はガラス基板の上面に貼り付けられる。また、ガラス基板の四隅には電極が設けられている。これらガラス基板の四隅に設けられた電極から駆動回路により交流電圧が印加されると、透明導電膜によって均一な電界が形成される。
【００４６】
この透明導電膜に指先が接触すると、駆動回路により発生した微弱電流が透明導電膜、カバー、指先を経由して人体に伝わり、人体１０が接する大地１４を含む周辺環境と駆動回路との間で閉回路が形成される。そのため、駆動回路によりガラス基板の四隅に流れる電流量の比率を計測することにより、指先の位置を判別することが可能になる。ここで説明する表示装置２００の場合、人体通信機能を実現するため、静電容量式タッチパネル２１１の透明導電膜は、人体通信に用いる信号電極としても利用される。
【００４７】
静電容量式タッチパネル２１１及び液晶ディスプレイ部２１２には、ＥＭＣやＥＭＩを防止する観点からシールド２１３が設けられている。また、このシールド２１３は、グランド１９に接続されている。また、液晶ディスプレイ部２１２の内部にもグランド（非図示）が存在する。そのため、静電容量式タッチパネル２１１の透明導電膜を人体通信の信号電極に用いると、近接するグランド間に強い容量結合が発生し、送信電力及び受信電力が大幅に失われてしまう。
【００４８】
もちろん、送信電力を増大させれば通信自体は可能になる。しかし、表示装置２００及び携帯端末１００の消費電力が大きく増加してしまう。特に、携帯端末１００のようなモバイル機器の場合、省電力性が強く求められるため、送信電力の増大は好ましくない。また、静電容量式タッチパネル２１１に印加される信号と、人体通信に利用する信号との相互干渉が生じてしまう。その結果、人体通信の通信品質が低下したり、タッチ位置の検出精度やタッチの感度が低下してしまう。
【００４９】
また、人体通信を利用しようとする場合、ユーザは、静電容量式タッチパネル２１１が設けられた部分に対応するガラス部２０１に手１６を触れている必要がある。そのため、手１６が触れている部分の表示内容が隠れてしまうという問題がある。もちろん、表示内容を確認するために手１６をガラス部２０１から離すと、人体通信が切断されてしまい、液晶ディスプレイ部２１２に表示されていた表示内容が消えてしまう。
【００５０】
そのため、図３に示した構造を持つ表示装置２００の場合、静電容量式タッチパネル２１１を利用したアプリケーションと、人体通信を利用したアプリケーションを同時に実行できる環境であるにも関わらず、実用面における利便性が低いという問題がある。つまり、静電容量式タッチパネル２１１を人体通信の信号電極として利用するのは省電力性及び実用面における利便性などの観点から好ましくない。
【００５１】
＜２：実施形態＞
そこで、本件発明者は、静電容量式タッチパネル２１１を人体通信の信号電極に利用する考えをやめ、人体通信に用いる信号電極の配置を工夫して省電力性や実用面での利便性などに優れた新規な表示装置２００の構造を考案した。以下、本発明の一実施形態に係る表示装置２００の構造及び機能構成、携帯端末１００の機能構成、表示装置２００の変形例及び応用例などについて詳細に説明する。
【００５２】
［２−１：人体通信機能及びタッチセンサ機能を搭載した表示装置２００の構造］
まず、図４を参照しながら、本実施形態に係る表示装置２００の構造について説明する。図４は、本実施形態に係る表示装置２００の構造について説明するための説明図である。但し、図４（Ａ）は、本実施形態に係る表示装置２００の上面図である。また、図４（Ｂ）は、図４（Ａ）の表示装置２００をＩ−Ｉ線で切断した場合の断面図である。
【００５３】
図４に示すように、表示装置２００は、主に、ガラス部２０１と、静電容量式タッチパネル２１１と、液晶ディスプレイ部２１２と、シールド２１３と、透明導電板２２１とにより構成される。また、透明導電板２２１には、信号源１７が接続される。さらに、信号源１７は、グランド１８に接続される。また、シールド２１３は、グランド１９に接続される。
【００５４】
透明導電板２２１は、人体通信の信号電極として利用される。例えば、透明導電板２２１が配置された領域に対応するガラス部２０１の領域に手１６が接触された場合、信号源１７から出力された信号は、透明導電板２２１、手１６、人体１０を介してユーザが身に付けている携帯端末１００に送られる。透明導電板２２１は、静電容量式タッチパネル２１１から間隔ｄだけ離隔され、液晶ディスプレイ部２１２を囲むように環状に配置されている。但し、距離ｄ（ｄ＞０ｍｍ）は、人体通信の感度、静電容量式タッチパネル２１１の感度に応じて適宜調整された値に設定される。
【００５５】
また、透明導電板２２１の材料としては、ＰＥＴ（ポリエチレンテレフタレート）樹脂などが利用される。例えば、ＰＥＴ樹脂などにより高分子フィルム（透明導電フィルム）を成膜し、その透明導電フィルムをガラス部２０１に貼り付けることにより透明導電板２２１を形成する。なお、ガラス部２０１に直接、高分子フィルムを成膜して透明導電板２２１を形成してもよい。
【００５６】
このように、本実施形態に係る表示装置２００は、液晶ディスプレイ部２１２の周囲に、人体通信の信号電極となる透明導電板２２１を配置している。そのため、図４（Ａ）のＡ１、Ａ２に示すように、掌、手首、肘などが透明導電板２２１に対応するガラス部２０１の領域に触れることで、ユーザは、人体通信を行うことができる。従って、静電容量式タッチパネル２１１に対応するガラス部２０１の領域から手１６が離れても、透明導電板２２１に対応するガラス部２０１の領域に人体１０の一部が接触している限り、人体通信は維持される。
【００５７】
なお、ここまでは人体１０の一部がガラス部２０１に接触することにより人体通信が実現されるものとして説明を進めてきたが、送信電力や受信感度を調整することにより、人体１０がガラス部２０１に近づくだけで人体通信を実現できるようにすることも可能である。
【００５８】
また、ここまでは携帯端末１００をユーザが身に付けたまま人体通信を行う利用形態を想定していたが、図４に示すように、携帯端末１００を透明導電板２２１に対応するガラス部２０１の領域に置いて非接触通信させる利用形態も考えられる。この場合、携帯端末１００と透明導電板２２１との間で容量結合が形成され、その容量結合により非接触通信が実現される。
【００５９】
以上、本実施形態に係る表示装置２００の構造について説明した。静電容量式タッチパネル２１１と透明導電板２２１とを離隔することにより、静電容量式タッチパネル２１１を人体通信の信号電極に利用する場合に比べて、伝搬損失や相互干渉を軽減し人体通信を実現することが可能になる。その結果、表示装置２００及び携帯端末１００における人体通信時の消費電力を低減させることが可能になる。
【００６０】
さらに、静電容量式タッチパネル２１１の信号と、人体通信の信号との間で生じる相互干渉を避けることが可能になる。その結果、人体通信の通信品質及び静電容量式タッチパネル２１１の感度を向上させることができる。また、人体通信の信号電極に利用する透明導電板２２１を液晶ディスプレイ部２１２の周囲に設けることで、人体通信を行うためにガラス部２０１に接触させた手１６で表示内容を隠してしまうことがなくなる。その結果、実用面におけるユーザの利便性が向上する。
【００６１】
［２−２：携帯端末１００の機能構成］
次に、図５を参照しながら、本実施形態に係る携帯端末１００の機能構成について説明する。図５は、本実施形態に係る携帯端末１００の機能構成について説明するための説明図である。
【００６２】
図５に示すように、携帯端末１００は、主に、人体通信部１０１と、アプリケーション部１０２とにより構成される。また、人体通信部１０１は、信号電極１１１と、グランド電極１１２と、送受信部１１３と、ベースバンド部１１４と、インターフェース部１１５とを有する。なお、アプリケーション部１０２は、携帯電話、ＰＤＡ、携帯音楽プレーヤ、携帯情報端末などが有する機能を提供する。また、アプリケーション部１０２の機能は、例えば、図１１に示すハードウェア構成により実現される。
【００６３】
（携帯端末１００から表示装置２００へのデータ送信）
携帯端末１００から表示装置２００へとデータを送信する場合、まず、アプリケーション部１０２から出力された送信データは、インターフェース部１１５を介してベースバンド部１１４に入力される。送信データが入力されると、ベースバンド部１１４は、送信データを変調して送信信号を生成する。
【００６４】
そして、ベースバンド部１１４により生成された送信信号は、送受信部１１３に入力される。また、ベースバンド部１１４は、所定の通信プロトコルに基づく送受信部１１３の制御を実施する。ベースバンド部１１４から送信信号が入力されると、送受信部１１３は、信号電極１１１に電圧を印加し、信号電極１１１を介して送信信号を送信する。このとき、送受信部１１３は、短波帯を利用する。
【００６５】
（表示装置２００による携帯端末１００からのデータ受信）
また、携帯端末１００が表示装置２００からデータを受信する場合、まず、信号電極１１１を介して受信信号が送受信部１１３により受信される。そして、送受信部１１３により受信された受信信号は、ベースバンド部１１４に入力される。受信信号が入力されると、ベースバンド部１１４は、入力された受信信号を復調して受信データを生成する。そして、ベースバンド部１１４により生成された受信データは、インターフェース部１１５を介してアプリケーション部１０２に入力される。
【００６６】
以上、携帯端末１００の機能構成について説明した。なお、上記の人体通信部１０１に設けられたグランド電極１１２は、携帯端末１００の基板に設けられたグランド面（非図示）で代用することも可能である。
【００６７】
［２−３：表示装置２００の機能構成］
次に、図６を参照しながら、本実施形態に係る表示装置２００の機能構成について説明する。図６は、本実施形態に係る表示装置２００の機能構成について説明するための説明図である。
【００６８】
図６に示すように、表示装置２００は、主に、人体通信部２３１と、アプリケーション部２３２と、表示部２３３と、グランド電極２３４とにより構成される。また、人体通信部２３１は、送受信部２４１と、ベースバンド部２４２と、インターフェース部２４３とを有する。さらに、表示部２３３は、静電容量式タッチパネル２１１と、液晶ディスプレイ部２１２と、透明導電板２２１とを有する（図４を参照）。なお、アプリケーション部２３２は、ＰＣなどの情報処理装置が有する機能を提供する。また、アプリケーション部２３２の機能は、例えば、図１１に示すハードウェア構成により実現される。
【００６９】
（表示装置２００から携帯端末１００へのデータ送信）
表示装置２００から携帯端末１００へとデータを送信する場合、まず、アプリケーション部２３２から出力された送信データは、インターフェース部２４３を介してベースバンド部２４２に入力される。送信データが入力されると、ベースバンド部２４２は、送信データを変調して送信信号を生成する。
【００７０】
そして、ベースバンド部２４２により生成された送信信号は、送受信部２４１に入力される。また、ベースバンド部２４２は、所定の通信プロトコルに基づく送受信部２４１の制御を実施する。ベースバンド部２４２から送信信号が入力されると、送受信部２４１は、透明導電板２２１に電圧を印加し、透明導電板２２１を介して送信信号を送信する。このとき、送受信部２４１は、短波帯を利用する。
【００７１】
（表示装置２００による携帯端末１００からのデータ受信）
また、表示装置２００が携帯端末１００からデータを受信する場合、まず、透明導電板２２１を介して受信信号が送受信部２４１により受信される。そして、送受信部２４１により受信された受信信号は、ベースバンド部２４２に入力される。受信信号が入力されると、ベースバンド部２４２は、入力された受信信号を復調して受信データを生成する。
【００７２】
そして、ベースバンド部２４２により生成された受信データは、インターフェース部２４３を介してアプリケーション部２３２に入力される。受信データが入力されると、アプリケーション部２３２は、受信データに応じた画像などを表示部２３３に表示させる。このとき、アプリケーション部２３２は、表示部２３３を構成する液晶ディスプレイ部２１２に映像信号を入力して受信データに応じた画像などを表示させる。
【００７３】
以上、本実施形態に係る表示装置２００の機能構成について説明した。なお、グランド電極２３４は、表示装置２００の基板に設けられたグランド面（非図示）で代用することも可能である。また、表示装置２００が表示機能付きテーブルの場合、表示機能付きテーブルの足部分を金属にすると、グランドの面積を増加させることができるため、人体通信の感度を高めることが可能になる。
【００７４】
＜３：変形例＞
ここで、本実施形態に係る変形例について説明する。
【００７５】
［３−１：共用センサパネル３００の構造］
これまで、静電容量式タッチパネル２１１と透明導電板２２１とが分離された構造を想定して説明を進めてきた。ここでは、静電容量式タッチパネル２１１の透明導電膜と、人体通信に用いる透明導電板２２１とを同一のガラス基板又はＰＥＴフィルムに成膜して得られる共用センサパネル３００（図７を参照）について説明する。
【００７６】
図７に示すように、共用センサパネル３００は、透明導電膜３０１、３０２と、保護用コーティング３０３、３０４とにより構成される。透明導電膜３０１は、静電容量式タッチパネル２１１のタッチセンサとして機能する導電膜である。一方、透明導電膜３０２は、人体通信の信号電極（透明導電板２２１に相当）として機能する導電膜である。
【００７７】
保護用コーティング３０３、３０４は、透明導電膜３０１、３０２を成膜するための基板である。保護用コーティング３０３、３０４は、ガラス又はＰＥＴ樹脂などの材質で形成される。まず、透明導電膜３０１が、保護用コーティング３０３に成膜される。また、透明導電膜３０２が、透明導電膜３０１の外側に距離ｄ（ｄ＞０ｍｍ）だけ離れた保護用コーティング３０３上の位置に成膜される。そして、保護用コーティング３０３との間に透明導電膜３０１、３０２を挟むように保護用コーティング３０４が形成される。
【００７８】
また、透明導電膜３０１の四隅Ａ、Ｂ、Ｃ、Ｄには、駆動回路から交流電圧が印加されるように端子が設けられる。透明導電膜３０１の四隅Ａ、Ｂ、Ｃ、Ｄに設けられた端子から交流電圧が印加されると、透明導電膜３０１に均一の電界が発生する。このとき、透明導電膜３０１に指先が触れると、四隅Ａ、Ｂ、Ｃ、Ｄから指先までの距離に比例した容量の変化が生じる。そのため、透明導電膜３０１の四隅に生じた容量の変化を計測し、その計測結果を解析することにより指先が触れた位置を検知することができる。また、透明導電膜３０２には、位置Ｅに人体通信用の信号端子が設けられる。そして、透明導電膜３０２の位置Ｅから人体通信用の信号が授受される。
【００７９】
以上、共用センサパネル３００の構造について説明した。ここで説明した共用センサパネル３００のように同一のガラス基板（又はＰＥＴ基板）を用いることにより、製造コストを低減することが可能になる。なお、ここでは表面型の静電容量式タッチパネル２１１を想定して説明してきたが、投影型の静電容量式タッチパネル２１１についても、同様にして共用センサパネル３００を構築することができる。
【００８０】
［３−２：画面分割が可能な表示装置２００の機能構成］
次に、他の変形例として、図８を参照しながら、画面分割が可能な表示装置２００の機能構成について説明する。本変形例は、人体１０の一部が接触する位置に応じて、通信相手を区別できるようにした表示装置２００の構成に関する。
【００８１】
図６に示した表示装置２００との主な違いは、表示部２３３を構成する透明導電板２２１が４分割され、透明導電板２２１の各分割領域に人体通信部２３１が接続されている点にある。従って、図６に示した表示装置２００とは異なり、図８に示した表示装置２００には、人体通信部２３１が透明導電板２２１の分割数分だけ設けられている。なお、透明導電板２２１と共に、液晶ディスプレイ部２１２の表示領域が複数の領域に分割されていてもよい。
【００８２】
（携帯端末１００から表示装置２００へのデータ送信）
本変形例の場合、例えば、画面領域（Ｄ１）に対応する透明導電板２２１の分割領域に人体１０の一部を接触させると、ユーザが身に付けている携帯端末１００から人体１０の一部を介して画面領域（Ｄ１）に対応する透明導電板２２１に信号が送られる。そして、画面領域（Ｄ１）に対応する透明導電板２２１に送られた信号は、人体通信部２３１が有する送受信部２４１により受信される。送受信部２４１により受信された信号は、ベースバンド部２４２により復調されて受信データが生成される。
【００８３】
ベースバンド部２４２により生成された受信データは、インターフェース部２４３を介してアプリケーション部２３２に入力される。受信データが入力されると、アプリケーション部２３２は、受信データに応じた画像などを表示部２３３の液晶ディスプレイ部２１２に表示させる。このとき、アプリケーション部２３２は、受信データに応じた画像などを画面領域（Ｄ１）に表示させるように構成されていてもよい。
【００８４】
同様に、画面領域（Ｄ２）に対応する透明導電板２２１の分割領域に人体１０の一部を接触させると、ユーザが身に付けている携帯端末１００から人体１０の一部を介して画面領域（Ｄ２）に対応する透明導電板２２１に信号が送られる。そして、画面領域（Ｄ２）に対応する透明導電板２２１に送られた信号は、人体通信部２３１が有する送受信部２４１により受信される。送受信部２４１により受信された信号は、ベースバンド部２４２により復調されて受信データが生成される。
【００８５】
ベースバンド部２４２により生成された受信データは、インターフェース部２４３を介してアプリケーション部２３２に入力される。受信データが入力されると、アプリケーション部２３２は、受信データに応じた画像などを表示部２３３の液晶ディスプレイ部２１２に表示させる。このとき、アプリケーション部２３２は、受信データに応じた画像などを画面領域（Ｄ２）に表示するように構成されていてもよい。画面領域（Ｄ３）（Ｄ４）に対応する透明導電板２２１の分割領域に人体１０の一部が接触した場合にも、上記と同様にして一連の処理が実行される。
【００８６】
なお、画面領域（Ｄ１）〜（Ｄ４）に対応する透明導電板２２１の各分割領域に接触したユーザが異なる場合、個々のユーザが身に付けている携帯端末１００のデータが表示装置２００に送られる。このように、図８に示した表示装置２００の場合、４人のユーザが同時に表示装置２００に対して携帯端末１００からデータを送ることができる。
【００８７】
（表示装置２００から携帯端末１００へのデータ送信）
表示装置２００から携帯端末１００へとデータを送る場合、例えば、画面領域（Ｄ３）に対応する透明導電板２２１の分割領域に人体１０の一部が接触すると、アプリケーション部２３２は、画面領域（Ｄ３）に対応する人体通信部２３１に送信データを入力する。アプリケーション部２３２により入力された送信データは、インターフェース部２４３を介してベースバンド部２４２に入力される。
【００８８】
送信データが入力されると、ベースバンド部２４２は、入力された送信データを変調して送信信号を生成する。そして、ベースバンド部２４２により生成された送信信号は、送受信部２４１により画面領域（Ｄ３）に対応する透明導電板２２１の分割領域に送られる。画面領域（Ｄ３）に対応する透明導電板２２１の分割領域に送られた送信信号は、画面領域（Ｄ３）に対応する透明導電板２２１の分割領域に接触している人体１０の一部を介して携帯端末１００に送られる。画面領域（Ｄ１）（Ｄ２）（Ｄ４）に対応する透明導電板２２１の分割領域に人体１０の一部が接触した場合にも、上記と同様にして一連の処理が実行される。
【００８９】
なお、画面領域（Ｄ１）〜（Ｄ４）に対応する透明導電板２２１の各分割領域に接触したユーザが異なる場合、個々のユーザが身に付けている携帯端末１００のデータが表示装置２００に送られる。このように、図８に示した表示装置２００の場合、４人のユーザが同時に表示装置２００から携帯端末１００へとデータを送ることができる。
【００９０】
以上、本実施形態の一変形例に係る表示装置２００の機能構成について説明した。このように、図８に示した表示装置２００は、画面領域（Ｄ１）〜（Ｄ４）に対応する透明導電板２２１の分割領域を区別し、各分割領域に接触したユーザが身に付けている携帯端末１００との間で人体通信を行うことができる。なお、図８には画面領域を４分割する例を示したが、画面領域の分割数は任意に設定することができる。
【００９１】
＜４：応用例＞
ここで、本実施形態に係る表示装置２００をデジタルサイネージ端末に応用した場合に想定されるユースケースについて説明する。
【００９２】
［４−１：デジタルサイネージ端末への応用（ケース１）］
まず、図９を参照しながら、ユーザが人体通信を利用してデジタルサイネージ端末から情報提供を受ける際に想定される処理の流れについて説明する。図９は、ユーザが人体通信を利用してデジタルサイネージ端末から情報提供を受ける際に想定される処理の流れについて説明するための説明図である。
【００９３】
図９に示すように、まず、ユーザは、デジタルサイネージ端末にタッチする（Ｓ１０１）。このデジタルサイネージ端末は、本実施形態に係る表示装置２００を応用したものであるため、タッチパネル機能と人体通信機能とを有する。ステップＳ１０１においてユーザによりタッチされると、デジタルサイネージ端末は起動し、人体通信機能を利用して情報の提供を開始する（Ｓ１０２）。ユーザが携帯端末１００を身に付けている場合、デジタルサイネージ端末が人体通信機能により提供した情報は、ユーザの人体１０を介して携帯端末１００に送られる。そして、ユーザが身に付けている携帯端末１００は、デジタルサイネージ端末から提供された情報を取得する（Ｓ１０３）。
【００９４】
これまで、デジタルサイネージ端末は、ユーザに対して情報を視覚的に提供する装置に過ぎなかった。しかし、本実施形態に係る表示装置２００の構成を応用することで、デジタルサイネージ端末は、ユーザが身に付けている携帯端末１００に対して情報を提供できる装置になる。例えば、デジタルサイネージ端末に表示されたオブジェクトをタッチすると、そのオブジェクトに対応する情報が携帯端末１００に送られるといったアプリケーションが実現される。
【００９５】
なお、これまでのデジタルサイネージ端末にも、ＱＲコードを利用してデジタルサイネージ端末から携帯端末１００に情報が送られる仕組みなどが検討されてきた。しかし、この仕組みの場合、ユーザが携帯端末１００をポケットやカバンなどから取り出して、デジタルサイネージ端末に表示されたＱＲコードを撮影するといった面倒な作業が必要である。一方、本実施形態に係る表示装置２００の構成を応用したデジタルサイネージ端末の場合は、ユーザが携帯端末１００に一切触れずにデジタルサイネージ端末から情報を取得することができるため、ユーザに面倒な作業を強いることがない。
【００９６】
このように、本実施形態に係る表示装置２００を応用したデジタルサイネージ端末は実用面での利便性が非常に高く、本実施形態に係る表示装置２００の構成をデジタルサイネージ端末に応用することによりユーザに多くの利便性を提供することが期待できる。
【００９７】
［４−２：デジタルサイネージ端末への応用（ケース２）］
次に、図１０を参照しながら、ユーザが人体通信を利用してデジタルサイネージ端末から情報提供を受ける際に想定される処理の流れについて説明する。図１０は、ユーザが人体通信を利用してデジタルサイネージ端末から情報提供を受ける際に想定される処理の流れについて説明するための説明図である。なお、図９に示したユースケースとの違いは、デジタルサイネージ端末が起動するタイミングにある。
【００９８】
図１０に示すように、まず、デジタルサイネージ端末との間で人体通信が可能な範囲にユーザが近づくと、ユーザが身に付けている携帯端末１００は、人体通信機能を利用してデジタルサイネージ端末を起動させる（Ｓ１１１）。起動したデジタルサイネージ端末は、複数の情報を選択可能な形式で表示する。例えば、デジタルサイネージ端末は、携帯端末１００に提供される情報のメニュー項目を選択可能な形式で表示する。こうした情報がデジタルサイネージ端末に表示されると、ユーザは、デジタルサイネージ端末に表示された情報の中から、携帯端末１００への提供を希望する情報にタッチする（Ｓ１１２）。
【００９９】
タッチされたデジタルサイネージ端末は、人体通信機能を利用して、ユーザが身に付けている携帯端末１００に対してタッチされた情報の提供を開始する。デジタルサイネージ端末が人体通信機能により提供した情報は、ユーザの人体１０を介して携帯端末１００に送られる。そして、ユーザが身に付けている携帯端末１００は、デジタルサイネージ端末から提供された情報を取得する（Ｓ１１３）。
【０１００】
このように、人体通信が可能な領域にユーザが近づいた場合にデジタルサイネージ端末から携帯端末１００へと情報が提供される仕組みを提供することでユーザの利便性を向上させることができる。また、デジタルサイネージ端末にユーザが近づくまでデジタルサイネージ端末が起動しないため、デジタルサイネージ端末の省電力化が図れる。
【０１０１】
以上、本実施形態に係る変形例について説明した。上記のように、本実施形態に係る表示装置２００の構成は、様々な機器に応用可能である。そして、タッチパネル機能と人体通信機能とを組み合わせることにより様々なアプリケーションが実現される。
【０１０２】
＜５：ハードウェア構成＞
さて、本実施形態に係る携帯端末１００が有するアプリケーション部１０２及び表示装置２００が有するアプリケーション部２３２の機能は、例えば、図１１に示すハードウェア構成を用いて実現することが可能である。つまり、アプリケーション部１０２、２３２の機能は、コンピュータプログラムを用いて図１１に示すハードウェアを制御することにより実現される。なお、このハードウェアの形態は任意であり、例えば、パーソナルコンピュータ、携帯電話、ＰＨＳ、ＰＤＡ等の携帯情報端末、ゲーム機、又は種々の情報家電がこれに含まれる。但し、上記のＰＨＳは、Ｐｅｒｓｏｎａｌ  Ｈａｎｄｙ−ｐｈｏｎｅ  Ｓｙｓｔｅｍの略である。また、上記のＰＤＡは、Ｐｅｒｓｏｎａｌ  Ｄｉｇｉｔａｌ  Ａｓｓｉｓｔａｎｔの略である。
【０１０３】
図１１に示すように、このハードウェアは、主に、ＣＰＵ９０２と、ＲＯＭ９０４と、ＲＡＭ９０６と、ホストバス９０８と、ブリッジ９１０と、を有する。さらに、このハードウェアは、外部バス９１２と、インターフェース９１４と、入力部９１６と、出力部９１８と、記憶部９２０と、ドライブ９２２と、接続ポート９２４と、通信部９２６と、を有する。但し、上記のＣＰＵは、Ｃｅｎｔｒａｌ  Ｐｒｏｃｅｓｓｉｎｇ  Ｕｎｉｔの略である。また、上記のＲＯＭは、Ｒｅａｄ  Ｏｎｌｙ  Ｍｅｍｏｒｙの略である。そして、上記のＲＡＭは、Ｒａｎｄｏｍ  Ａｃｃｅｓｓ  Ｍｅｍｏｒｙの略である。
【０１０４】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、ＣＰＵ９０２に読み込まれるプログラムや演算に用いるデータ等を格納する手段である。ＲＡＭ９０６には、例えば、ＣＰＵ９０２に読み込まれるプログラムや、そのプログラムを実行する際に適宜変化する各種パラメータ等が一時的又は永続的に格納される。
【０１０５】
これらの構成要素は、例えば、高速なデータ伝送が可能なホストバス９０８を介して相互に接続される。一方、ホストバス９０８は、例えば、ブリッジ９１０を介して比較的データ伝送速度が低速な外部バス９１２に接続される。また、入力部９１６としては、例えば、マウス、キーボード、タッチパネル、ボタン、スイッチ、及びレバー等が用いられる。さらに、入力部９１６としては、赤外線やその他の電波を利用して制御信号を送信することが可能なリモートコントローラ（以下、リモコン）が用いられることもある。
【０１０６】
出力部９１８としては、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。但し、上記のＣＲＴは、Ｃａｔｈｏｄｅ  Ｒａｙ  Ｔｕｂｅの略である。また、上記のＬＣＤは、Ｌｉｑｕｉｄ  Ｃｒｙｓｔａｌ  Ｄｉｓｐｌａｙの略である。そして、上記のＰＤＰは、Ｐｌａｓｍａ  ＤｉｓｐｌａｙＰａｎｅｌの略である。さらに、上記のＥＬＤは、Ｅｌｅｃｔｒｏ−Ｌｕｍｉｎｅｓｃｅｎｃｅ  Ｄｉｓｐｌａｙの略である。
【０１０７】
記憶部９２０は、各種のデータを格納するための装置である。記憶部９２０としては、例えば、ハードディスクドライブ（ＨＤＤ）等の磁気記憶デバイス、半導体記憶デバイス、光記憶デバイス、又は光磁気記憶デバイス等が用いられる。但し、上記のＨＤＤは、Ｈａｒｄ  Ｄｉｓｋ  Ｄｒｉｖｅの略である。
【０１０８】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ  ＤＶＤメディア、各種の半導体記憶メディア等である。もちろん、リムーバブル記録媒体９２８は、例えば、非接触型ＩＣチップを搭載したＩＣカード、又は電子機器等であってもよい。但し、上記のＩＣは、Ｉｎｔｅｇｒａｔｅｄ  Ｃｉｒｃｕｉｔの略である。
【０１０９】
接続ポート９２４は、例えば、ＵＳＢポート、ＩＥＥＥ１３９４ポート、ＳＣＳＩ、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。但し、上記のＵＳＢは、Ｕｎｉｖｅｒｓａｌ  Ｓｅｒｉａｌ  Ｂｕｓの略である。また、上記のＳＣＳＩは、Ｓｍａｌｌ  Ｃｏｍｐｕｔｅｒ  Ｓｙｓｔｅｍ  Ｉｎｔｅｒｆａｃｅの略である。
【０１１０】
通信部９２６は、ネットワーク９３２に接続するための通信デバイスであり、例えば、有線又は無線ＬＡＮ、Ｂｌｕｅｔｏｏｔｈ（登録商標）、又はＷＵＳＢ用の通信カード、光通信用のルータ、ＡＤＳＬ用のルータ、又は各種通信用のモデム等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。但し、上記のＬＡＮは、Ｌｏｃａｌ  Ａｒｅａ  Ｎｅｔｗｏｒｋの略である。また、上記のＷＵＳＢは、Ｗｉｒｅｌｅｓｓ  ＵＳＢの略である。そして、上記のＡＤＳＬは、Ａｓｙｍｍｅｔｒｉｃ  Ｄｉｇｉｔａｌ  Ｓｕｂｓｃｒｉｂｅｒ  Ｌｉｎｅの略である。
【０１１１】
＜６：まとめ＞
最後に、本発明の実施形態に係る技術内容について簡単に纏める。ここで述べる技術内容は、例えば、ＰＣ、携帯電話、携帯ゲーム機、携帯情報端末、情報家電、カーナビゲーションシステム等、種々の情報処理装置に適用できる。
【０１１２】
上記の情報処理装置の機能構成は次のように表現することができる。当該情報処理装置は、次のような表示パネルと、信号電極と、人体通信部とを有する。当該表示パネルは、ガラス板の裏面に設けられ、当該ガラス板を通して画像を表示する手段である。また、上記の信号電極は、前記ガラス板の裏面に設けられた表示パネルの周囲に、当該表示パネルとの間が所定の間隔だけ離隔するように配置されている。さらに、上記の人体通信部は、前記信号電極に電圧を印加し、前記信号電極が設けられた領域に対応する前記ガラス板の表面領域に接触又は近接された人体の一部を介して信号を送受信する手段である。
【０１１３】
上記のように、表示パネルと人体通信用の信号電極とを離隔して配置することにより、人体通信の感度を高めることが可能になる。また、人体通信の感度が高まることにより、送信電力を低減させることが可能になる。例えば、上記の表示手段と人体通信する携帯端末の消費電力を低減させることが可能になる。また、上記の表示パネルにタッチパネル機能を搭載した場合、タッチパネルの制御信号と人体通信の信号との間で生じる相互干渉を軽減させることが可能になる。その結果、タッチパネルの動作が安定し、人体通信の通信品質が向上する。
【０１１４】
また、人体通信用の信号電極が表示パネルの周囲に配置されることにより、人体通信を実現するために触れている人体の一部により表示パネルの表示内容が隠れてしまうことがなくなる。なお、上記の情報処理装置は、表示機能付きテーブルであってもよい。この場合、テーブルの周辺にユーザが座っているだけの状態や、膝や胸などがテーブルに触れているだけの状態でも人体通信が可能である。また、表示パネルの周囲に携帯端末を置くことで、情報処理装置と携帯端末との間で非接触通信を実現することも可能である。この場合でも、表示パネルと信号電極とが離隔していることによる通信品質の向上効果が得られる。
【０１１５】
（備考）
なお、上記の液晶ディスプレイ部２１２は、表示パネルの一例である。上記の透明導電板２２１は、信号電極の一例である。上記のガラス部２０１は、ガラス板の一例である。上記の人体通信部１０１は、信号送受信部の一例である。上記の携帯端末１００は、通信装置、情報処理装置の一例である。上記の表示装置２００は、情報処理装置の一例である。上記の静電容量式タッチパネル２１１は、タッチセンサ用透明導電膜、タッチセンサ（駆動回路に相当）の一例である。上記のアプリケーション部２３２は、演算処理部の一例である。
【０１１６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【０１１７】
１０    人体
１１、１２、１３    容量
１４    大地
１５    近傍界
１６    手
１７    信号源
１８、１９    グランド
１００    携帯端末
１０１    人体通信部
１０２    アプリケーション部
１１１    信号電極
１１２    グランド電極
１１３    送受信部
１１４    ベースバンド部
１１５    インターフェース部
２００    表示装置
２０１    ガラス部
２１１    静電容量式タッチパネル
２１２    液晶ディスプレイ部
２１３    シールド
２２１    透明導電板
２３１    人体通信部
２３２    アプリケーション部
２３３    表示部
２３４    グランド電極
２４１    送受信部
２４２    ベースバンド部
２４３    インターフェース部
３００    共用センサパネル
３０１、３０２    透明導電膜
３０３、３０４    保護用コーティング
Ｐ    写真
【図１】
2011259171.tif 000003
【図２】
2011259171.tif 000004
【図３】
2011259171.tif 000005
【図４】
2011259171.tif 000006
【図５】
2011259171.tif 000007
【図６】
2011259171.tif 000008
【図７】
2011259171.tif 000009
【図８】
2011259171.tif 000010
【図９】
2011259171.tif 000011
【図１０】
2011259171.tif 000012
【図１１】
2011259171.tif 000013